(57)【特許請求の範囲】
【請求項１】
複数の相手側第１コンタクトと複数の相手側第２コンタクトとを備える相手側コネクタと第１方向に沿って嵌合可能なコネクタであって、
前記コネクタは、複数の第１コンタクトと、複数の第２コンタクトと、前記第１コンタクト及び前記第２コンタクトを保持するハウジングとを備えており、
前記第１コンタクトは、前記コネクタが前記相手側コネクタに嵌合した際に、前記相手側第１コンタクトに接触する第１接触部を夫々有しており、
前記第２コンタクトは、前記コネクタが前記相手側コネクタに嵌合した際に、前記相手側第２コンタクトに接触する第２接触部を夫々有しており、
前記ハウジングは、少なくとも２つの長壁部と、少なくとも１つの支持部とを有しており、
前記長壁部は、前記第１方向と直交する第２方向に延びており、
前記長壁部は、前記第１方向及び前記第２方向の双方と直交する第３方向において離間配置され、それによって、前記長壁部の間にはスロットが形成されており、
前記支持部は、前記長壁部の１つから前記第１方向に沿って突出していると共に前記第２方向に延びる板状の形状を有しており、
前記第１接触部は、前記支持部に支持されており、
前記第２接触部は、少なくとも部分的に前記スロット内に位置しており、
前記第１接触部は、前記第３方向において互いに離れて位置する２つの接点を有している
コネクタ。
【請求項２】
請求項１記載のコネクタであって、
前記ハウジングは、３つ以上の前記長壁部と、２つ以上の前記支持部とを有しており、
前記ハウジングには、２つ以上の前記スロットが形成されている
前記第１コンタクトは、２以上の第１コンタクト列を構成しており、
前記第１コンタクト列は、前記支持部に夫々対応しており、
前記第２コンタクトは、２以上の第２コンタクト列を構成しており、
前記第２コンタクト列は、前記スロットに夫々対応している
コネクタ。
【請求項３】
請求項１又は請求項２記載のコネクタであって、
前記第１接触部は、Ｕ字状の形状を有している
コネクタ。
【請求項４】
請求項３記載のコネクタであって、
前記ハウジングには、前記スロットと通じていると共に前記第２コンタクトを部分的に収容するコンタクト収容部が形成されており、
前記第１方向に沿って見た場合に、前記第１接触部の位置と前記コンタクト収容部の位置とは部分的に重なっている
コネクタ。
【請求項５】
請求項３又は請求項４記載のコネクタであって、
前記コネクタは、使用時に対象物に搭載されるものであり、
前記第１コンタクトは、前記対象物に固定される第１固定部と、前記第１接触部と前記第１固定部とを連結する第１連結部とを有しており、
前記第１連結部と前記第１固定部とは直線状に並んでいる
コネクタ。
【請求項６】
請求項３又は請求項４記載のコネクタであって、
前記コネクタは、使用時に対象物に搭載されるものであり、
前記第１コンタクトは、前記対象物に固定される第１固定部と、前記第１接触部と前記第１固定部とを連結する第１連結部とを有しており、
前記第３方向において、前記第１固定部は、前記第１接触部の前記２つの接点の間に位置している
コネクタ。
【請求項７】
請求項５又は請求項６記載のコネクタであって、
前記第３方向において、前記第１固定部は、前記長壁部の１つの中央に位置している
コネクタ。
【請求項８】
請求項１から請求項７までのいずれかに記載のコネクタと、前記相手側コネクタとを備えるコネクタ組立体。
【請求項９】
請求項８記載のコネクタ組立体であって、
前記コネクタと前記相手側コネクタとは互いに同一形状を有しているコネクタ組立体。
【発明の詳細な説明】
【技術分野】
【０００１】
本発明は、少なくとも２種類のコンタクトを備えるコネクタに関する。
【背景技術】
【０００２】
この種のコネクタとしては、例えば、特許文献１に開示されたものがある。図２６に示されるように、特許文献１のコネクタ９００は、第１コンタクト９１０と、第２コンタクト９２０と、グランドコンタクト９３０と、それらを保持するハウジング９４０とを備えている。ハウジング９４０は、板状の支持部９４２と、長壁部９４４間に形成されたスロット９４６とを有している。第１コンタクト９１０は、支持部９４２に部分的に支持されており、第２コンタクト９２０は、スロット９４６に部分的に収容されている。即ち、第２コンタクト９２０は、長壁部９４４間に部分的に位置している。コネクタ９００は、同一構造の相手側コネクタ９５０と嵌合するものである。即ち、コネクタ９００と相手側コネクタ９５０とは雌雄同体である。コネクタ９００が相手側コネクタ９５０と嵌合する際、コネクタ９００の第１コンタクト９１０は相手側コネクタ９５０の第２コンタクト９２０に挿入され、コネクタ９００の第２コンタクト９２０は相手側コネクタ９５０の第１コンタクト９１０を受容する。その際、コネクタ９００のグランドコンタクト９３０は、相手側コネクタ９５０のグランドコンタクト９３０に接続される。かかる構造のため、コネクタ９００と相手側コネクタ９５０との嵌合は、こじりに対して耐性がある。
【先行技術文献】
【特許文献】
【０００３】
【特許文献１】特開平７−１６１４１５号公報
【発明の概要】
【発明が解決しようとする課題】
【０００４】
本発明は、こじりに対して耐性がある構造を有すると共に小型化されたコネクタを提供することを目的とする。
【課題を解決するための手段】
【０００５】
本発明は、第１のコネクタとして、
複数の相手側第１コンタクトと複数の相手側第２コンタクトとを備える相手側コネクタと第１方向に沿って嵌合可能なコネクタであって、
前記コネクタは、複数の第１コンタクトと、複数の第２コンタクトと、前記第１コンタクト及び前記第２コンタクトを保持するハウジングとを備えており、
前記第１コンタクトは、前記コネクタが前記相手側コネクタに嵌合した際に、前記相手側第１コンタクトに接触する第１接触部を夫々有しており、
前記第２コンタクトは、前記コネクタが前記相手側コネクタに嵌合した際に、前記相手側第２コンタクトに接触する第２接触部を夫々有しており、
前記ハウジングは、少なくとも２つの長壁部と、少なくとも１つの支持部とを有しており、
前記長壁部は、前記第１方向と直交する第２方向に延びており、
前記長壁部は、前記第１方向及び前記第２方向の双方と直交する第３方向において離間配置され、それによって、前記長壁部の間にはスロットが形成されており、
前記支持部は、前記長壁部の１つから前記第１方向に沿って突出していると共に前記第２方向に延びる板状の形状を有しており、
前記第１接触部は、前記支持部に支持されており、
前記第２接触部は、少なくとも部分的に前記スロット内に位置している
コネクタを提供する。
【０００６】
また、本発明は、第２のコネクタとして、第１のコネクタであって、
前記ハウジングは、３つ以上の前記長壁部と、２つ以上の前記支持部とを有しており、
前記ハウジングには、２つ以上の前記スロットが形成されている
前記第１コンタクトは、２以上の第１コンタクト列を構成しており、
前記第１コンタクト列は、前記支持部に夫々対応しており、
前記第２コンタクトは、２以上の第２コンタクト列を構成しており、
前記第２コンタクト列は、前記スロットに夫々対応している
コネクタを提供する。
【０００７】
また、本発明は、第３のコネクタとして、第１又は第２のコネクタであって、
前記第１接触部は、前記第３方向において互いに離れて位置する２つの接点を有している
コネクタを提供する。
【０００８】
また、本発明は、第４のコネクタとして、第３のコネクタであって、
前記第１接触部は、Ｕ字状の形状を有している
コネクタを提供する。
【０００９】
また、本発明は、第５のコネクタとして、第４のコネクタであって、
前記ハウジングには、前記スロットと通じていると共に前記第２コンタクトを部分的に収容するコンタクト収容部が形成されており、
前記第１方向に沿って見た場合に、前記第１接触部の位置と前記コンタクト収容部の位置とは部分的に重なっている
コネクタを提供する。
【００１０】
また、本発明は、第６のコネクタとして、第４又は第５のコネクタであって、
前記コネクタは、使用時に対象物に搭載されるものであり、
前記第１コンタクトは、前記対象物に固定される第１固定部と、前記第１接触部と前記第１固定部とを連結する第１連結部とを有しており、
前記第１連結部と前記第１固定部とは直線状に並んでいる
コネクタを提供する。
【００１１】
また、本発明は、第７のコネクタとして、第４又は第５のコネクタであって、
前記コネクタは、使用時に対象物に搭載されるものであり、
前記第１コンタクトは、前記対象物に固定される第１固定部と、前記第１接触部と前記第１固定部とを連結する第１連結部とを有しており、
前記第３方向において、前記第１固定部は、前記第１接触部の前記２つの接点の間に位置している
コネクタを提供する。
【００１２】
また、本発明は、第８のコネクタとして、第６又は第７のコネクタであって、
前記第３方向において、前記第１の固定部は、前記長壁部の１つの中央に位置している
コネクタを提供する。
【００１３】
また、本発明は、第１のコネクタ組立体として、第１乃至第８のいずれかのコネクタと、前記相手側コネクタとを備えるコネクタ組立体を提供する。
【００１４】
また、本発明は、第２のコネクタ組立体として、第１のコネクタ組立体であって、
前記コネクタと前記相手側コネクタとは互いに同一形状を有しているコネクタ組立体を提供する。
【発明の効果】
【００１５】
第１コンタクトを支持する支持部が第２コンタクトを収容するスロットの長壁部から嵌合方向に沿って延びている。そのため、長壁部と支持部との間のスペースを省略することができ、コネクタの小型化を図ることができる。
【図面の簡単な説明】
【００１６】
【図１】本発明の第１の実施の形態によるコネクタ組立体を示す斜視図である。コネクタと相手側コネクタとは、未だ嵌合していない。
【図２】図１のコネクタ組立体の嵌合状態を示す正面図である。
【図３】図１のコネクタ組立体の嵌合状態を示す右側面図である。
【図４】図１のコネクタ組立体の嵌合状態を示す上面図である。
【図５】図２のコネクタ組立体をＡ--Ａ線に沿って示す断面図である。
【図６】図１のコネクタ組立体を構成する第１のコネクタの斜視図である。
【図７】図１のコネクタ組立体を構成する第１のコネクタの底面図である。
【図８】図１のコネクタ組立体を構成する第１のコネクタの正面図である。
【図９】図１のコネクタ組立体を構成する第１のコネクタの右側面図である。
【図１０】図１のコネクタ組立体を構成する第１のコネクタの上面図である。
【図１１】図８の第１のコネクタをＢ--Ｂ線に沿って示す断面図である。
【図１２】第１のコネクタに含まれる第１コンタクトの拡大断面図である。
【図１３】第１のコネクタに含まれる第２コンタクトの拡大断面図である。
【図１４】第１コンタクトと第２コンタクトの接点を説明するための拡大断面図である。
【図１５】本発明の第２の実施の形態によるコネクタ組立体の嵌合状態を示す正面図である。
【図１６】図１５のコネクタ組立体の嵌合状態を示す右側面図である。
【図１７】図１５のコネクタ組立体の嵌合状態を示す上面図である。
【図１８】図１５のコネクタ組立体をＣ--Ｃ線に沿って示す断面図である。
【図１９】図１５のコネクタ組立体を構成する第１のコネクタの斜視図である。
【図２０】図１５のコネクタ組立体を構成する第１のコネクタの底面図である。
【図２１】図１５のコネクタ組立体を構成する第１のコネクタの正面図である。
【図２２】図１５のコネクタ組立体を構成する第１のコネクタの右側面図である。
【図２３】図１５のコネクタ組立体を構成する第１のコネクタの上面図である。
【図２４】図２１の第１コネクタをＤ--Ｄ線に沿って示す断面図である。
【図２５】第１のコネクタに含まれる第１コンタクトの拡大断面図である。
【図２６】特許文献１のコネクタを示す断面図である。
【発明を実施するための形態】
【００１７】
図面を参照して本発明の実施の形態について詳細に説明する。
【００１８】
（第１の実施の形態）
図１に示されるように、本発明の第１の実施の形態によるコネクタ組立体１００は、第１及び第２のコネクタ２００，３００を有している。第１及び第２のコネクタ２００，３００は、同一の構造を有する雌雄同体のコネクタである。これら第１及び第２のコネクタ２００，３００は、図２乃至図５から理解されるように、第１方向に沿って、互いに嵌合可能である。また、第１及び第２のコネクタ２００，３００は、第１方向に沿って、分離可能である。なお、本実施の形態において、第１方向はＺ方向である。
【００１９】
図６乃至図１１を参照して後述するように、第１のコネクタ２００は、複数の第１コンタクト２１０と複数の第２コンタクト２２０を有している。図５から理解されるように、第１のコネクタ２００が相手側コネクタである第２のコネクタ３００と嵌合した際、第１コンタクト２１０の一部は、相手側コネクタの相手側第１コンタクト３１０に収容される。また、第２コンタクト２２０は、相手側コネクタの相手側第２コンタクト３２０の一部を収容する。その結果、第１コンタクト２１０は、相手側第１コンタクト３１０に接触し、第２コンタクト２２０は、相手側コネクタの相手側第２コンタクト３２０に接触する。
【００２０】
上述したように、第１及び第２のコネクタ２００，３００は、同一の構造を有しているので、以下の説明は、第１のコネクタ２００について行う。
【００２１】
図６乃至図１１を参照すると、第１のコネクタ２００は、複数の第１コンタクト２１０と、複数の第２コンタクト２２０と、これらの第１及び第２コンタクト２１０，２２０を保持するハウジング２３０とを有している。
【００２２】
複数の第１コンタクト２１０は、第２方向に沿って延びる少なくとも１つの第１コンタクト列２４０を形成するように配置される。複数の第１コンタクト列２４０が設けられる場合、複数の第１コンタクト列２４０は、第２方向に直交する第３方向に所定の間隔を空けて配置される。本実施の形態において、第２方向はＸ方向であり、第３方向はＹ方向である。即ち、第２方向及び第３方向は、それぞれ第１方向と直交している。本実施の形態では、複数の第１コンタクト２１０は、第２方向に沿って第１の間隔で配列されるとともに、第３方向に沿って第２の間隔で配列され、５つの第１コンタクト列２４０を形成している。
【００２３】
複数の第２コンタクト２２０は、第１コンタクト２１０と同様に配置される。即ち、複数の第２コンタクト２２０もまた、少なくとも１つの第２コンタクト列２５０を形成する。本実施の形態では、複数の第２コンタクト２２０は、第２方向に沿って第１の間隔で配列されるとともに、第３方向に沿って第２の間隔で配列される。
【００２４】
複数の第２コンタクト２２０の数は、複数の第１コンタクト２１０の数に等しい。また、第１コンタクト列２４０と第２コンタクト列２５０は、第３方向において交互に配置される。したがって、第３方向において、各第１コンタクト２１０の一方の側（−Ｙ方向側）には、それぞれ対応する第２コンタクト２２０が位置する。
【００２５】
ハウジング２３０は、図１１から理解されるように、少なくとも２つの長壁部２３１と、少なくとも１つの支持部２３２と、複数のガイド部２３３を有している。
【００２６】
各長壁部２３１は、第１方向へ突き出し、かつ第２方向へ延びるように形成されている。また、少なくとも２つの長壁部２３１は、第３方向において所定の間隔を空けて離間配置されている。図６から理解されるように、隣接する２つの長壁部２３１は、第２方向の両端部において、短壁部２３４によってそれぞれ連結される。短壁部２３４は、第１方向へ突き出し、かつ第３方向へ延びるよう形成されている。また、図１１から理解されるように、隣接する２つの長壁部２３１とそれらを連結する短壁部２３４は、それらに囲まれたスロット２３５を規定する。各スロット２３５は、隣接する２つの長壁部２３１の間に位置し、第２コンタクト列２５０にそれぞれ対応している。
【００２７】
また、隣接する２つの長壁部２３１の間には、スロット２３５に通じるとともに、第２コンタクト２２０に各々対応するコンタクト収容部２３６が形成されている。コンタクト収容部２３６は、スロット２３５の一部であるとも言える。コンタクト収容部２３６は、対応する第２コンタクト２２０の一部を収容する。
【００２８】
各支持部２３２は、対応する長壁部２３１から第１方向へ突き出し、かつ第２方向へ延びるように形成される。そして、支持部２３２は、板状の形状を有している。また、支持部２３２は、第１コンタクト列２４０に各々対応している。
【００２９】
複数のガイド部２３３は、第１のコネクタ２００の外周に沿って配置されている。これらのガイド部２３３は、第１のコネクタ２００を第２のコネクタ３００に嵌合させる際、第１のコネクタ２００を第２のコネクタ３００に関して相対的に適切な位置へと導く。
【００３０】
図１２に示されるように、第１コンタクト２１０の各々は、第１接触部２１１と、第１固定部２１２と、第１接触部２１１と第１固定部２１２とを連結する第１連結部２１３とを有している。
【００３１】
図１４に示されるように、第１接触部２１１は、相手側第１コンタクト３１０に接触する少なくとも１つの第１接点を有する。本実施の形態では、第１接触部２１１は、Ｕ字状の形状を有しており、第３の方向において離れて位置する２つの第１接点２１４，２１５を有する。
【００３２】
図１２を参照すると、第１固定部２１２は、第１のコネクタ２００が使用時に搭載される対象物（図示せず）に固定される。
【００３３】
第１連結部２１３は、第１接触部２１１と第１固定部２１２との間を電気的、機械的に連結する。本実施の形態において、第１連結部２１３は、第１接触部２１１と第１固定部２１２とを直線的に連結する。そして、第１連結部２１３は、第１接触部２１１の一部及び第１固定部２１２と直線状に並んでいる。
【００３４】
図１３及び図１４を参照すると、第２コンタクト２２０の各々は、相手側第２コンタクト３２０に接触する第２接触部２２１と、対象物（図示せず）に固定される第２固定部２２２と、第２接触部２２１と第２固定部２２２とを連結する第２連結部２２３とを有している。第２接触部２２１は、相手側第２コンタクト３２０の少なくとも一つの接点に対応する少なくとも一つの第２接点を有する。本実施の形態では、第２接触部２２１は、第３方向において離れて位置する２つの第２接点２２４，２２５を有する。
【００３５】
図１４から理解されるように、第１接点２１４，２１５は、相手側第１コンタクト３１０と接触し、第２接点２２４，２２５は、相手側第２コンタクト３２０と接触する。
【００３６】
再び、図１１を参照すると、第１コンタクト２１０の第１接触部２１１は、支持部２３２によって支持されている。また、支持部２３２の表面は、第１接触部２１１の接触面（接点）から突出していない。換言すると、支持部２３２の表面は、第１接触部２１１の表面よりも内部側に位置している。
【００３７】
本実施の形態では、上記のとおり、第１コンタクト２１０が支持部２３２によって支持されている。そして、図５から理解されるように、第１のコネクタ２００と第２のコネクタ３００とを嵌合させたとき、支持部２３２は相手側コネクタのスロット（２３５）に受容される。これにより、第１のコネクタ２００と第２のコネクタ３００の間にこじる力が加えられたとき、支持部２３２が相手側コネクタ（３００）とともにその力を受け止める。その結果、コネクタ組立体１００にこじる力が加わった際に、第１コンタクト２１０の変形を防止することができる。こうして、第１コンタクト２１０を含むコネクタ組立体１００は、こじりに対して耐性を有する。
【００３８】
また、第１接触部２１１の位置は、第１の方向に沿って見た場合に、一方の側（−Ｙ方向）に隣接する第２コンタクト２２０の一部を収容するコンタクト収容部２３６の位置と部分的に重なっている。換言すると、第１接触部２１１とそれに対応するコンタクト収容部２３６とを第３方向に延びる仮想的な軸上に投影した場合に、第１接触部２１１とコンタクト収容部２３６とは部分的に重なっている。
【００３９】
一方、第２コンタクト２２０の第２接触部２２１は、少なくともその一部がコンタクト収容部２３６に収容されている。コンタクト収容部２３６は、第２コンタクト２２０の第２接触部２２１の弾性変形を許容する大きさを有している。これにより、スロット２３５に相手側第２コンタクト３２０が挿入されるのに伴い、第２コンタクト２２０の２つの第２接点２２４，２２５（図１３又は図１４参照）間の距離を変化させ、相手側第２コンタクト３２０の進入を許容することができる。また、弾性変形による反発力により第２接点２２４，２２５を相手側第２コンタクト３２０に確実に接触させることができる。
【００４０】
本実施の形態によれば、支持部２３２がスロット２３５を規定する長壁部２３１から第１方向（Ｚ方向又は嵌合方向）に沿って延びている。つまり、第３方向において、長壁部２３１と支持部２３２との間にはスペースが存在しない。これにより、本実施の形態による第１のコネクタ２００の小型化が実現できる。また、第１のコネクタ２００と第１のコネクタ２００と同一構造の第２のコネクタ３００とを含むコネクタ組立体１００の小型化を実現することができる。しかも、コネクタ組立体１００は、こじりに対して耐性を有している。
【００４１】
なお、本実施の形態による第１のコネクタ２００では、第１コンタクト２１０の位置が長壁部２３１に対して第３方向において偏りを持つ。これにより、後述する第２の実施形態による第１のコネクタ１２００よりもさらに小型化が可能である。
【００４２】
（第２の実施の形態）
次に、本発明の第２の実施の形態について詳細に説明する。なお、図１５乃至図２５において、図２乃至図１４に示される構成要素と同じ構成要素に対しては、同じ参照番号が付されている。そして、それらの説明は省略される。また、図１５乃至図２５において、図２乃至図１４に示される構成要素に対応するけれどもその形状が異なる構成要素に対しては、図２乃至図１４において使用される参照番号の前に“１”を付した参照番号を付与している。
【００４３】
図１５乃至図１８から理解されるように、本実施の形態によるコネクタ組立体１１００がコネクタ組立体１００と大きく異なる点は、第１のコネクタ１２００（及び第２のコネクタ１３００）のハウジング１２３０の形状及び第１コンタクト１２１０（及び相手側第２コンタクト１３２０）の形状である。ハウジング１２３０の形状については、ガイド部１２３３の数とその形状、及び第３方向における支持部２３２と長壁部１２３１との相対位置関係が、ハウジング２３０と異なっている。その他の点については、コネクタ組立体１１００は、コネクタ組立体１００と同様に構成される。
【００４４】
図１９乃至図２３から理解されるように、ガイド部１２３３の数は、第１の実施の形態のガイド部２３３の数よりも少ない。また、少なくとも一部のガイド部１２３３のサイズは、第１の実施の形態のガイド部２３３よりも大きい。本実施の形態では、第１のコネクタ１２００の長辺側に位置するガイド部１２３３は、第１の実施の形態のガイド部２３３よりも大きい。このように、本実施の形態では、ガイド部２３３の数を減らしたことにより、第１のコネクタ１２００の構造を簡略化できる。また、少なくとも一部のガイド部１２３３のサイズを大きくしたことにより、ガイド部１２３３の数を減らしても、第１のコネクタ１２００の嵌合を適切にガイドすることができる。
【００４５】
図２４及び図２５から理解されるように、第１コンタクト１２１０の各々は、第１接触部１２１１と、第１固定部１２１２と、第１接触部１２１１と第１固定部１２１２とを連結する第１連結部１２１３とを有している。
【００４６】
ここで、第１連結部１２１３は、オフセット部１２１７を含む。オフセット部１２１７は、第１固定部１２１２が第３方向（Ｙ方向）において２つの第１接点１２１４，１２１５の間に位置するように折れ曲がっている。オフセット部１２１７は、２つの第１接点１２１４，１２１５の中央位置が第１固定部１２１２の中央位置の第１方向の真上に位置するように、折れ曲がっていてよい。この構成によれば、第３方向において、第１固定部１２１２を対応する長壁部１２３１の中央に位置させることができる。
【００４７】
本実施の形態においても、第３方向（Ｙ方向）において、各長壁部１２３１と支持部２３２との間にスペースが存在しないので、第１のコネクタ１２００の小型化を実現することができる。また、第１のコネクタ１２００を含むコネクタ組立体１１００の小型化を実現することができる。もちろん、コネクタ組立体１１００は、こじりに対して耐性を有している。
【００４８】
以上、本発明の実施の形態について具体的に説明したが、本発明はこれに限定されるものではなく、様々な変形や応用が可能である。
【００４９】
例えば、上記実施の形態では、コネクタの外形は、第１の方向に沿ってみた場合、長方形であったが、正方形や円形等、他の形状でもあってもよい。また、上記実施の形態では、第１コネクタはＵ字形状を有していたが、他の形状、例えば、Ｉ字形状を有していてもよい。第２コネクタの形状は、第１コネクタの形状に応じて変形し得る。
【符号の説明】
【００５０】
１００    コネクタ組立体
２００    第１のコネクタ
２１０    第１コンタクト
２１１    第１接触部
２１２    第１固定部
２１３    第１連結部
２１４，２１５    第１接点
２２０    第２コンタクト
２２１    第２接触部
２２２    第２固定部
２２３    第２連結部
２２４，２２５    第２接点
２３０    ハウジング
２３１    長壁部
２３２    支持部
２３３    ガイド部
２３４    短壁部
２３５    スロット
２３６    コンタクト収容部
２４０    第１コンタクト列
２５０    第２コンタクト列
３００    第２のコネクタ
３１０    相手側第１コンタクト
３２０    相手側第２コンタクト
１１００    コネクタ組立体
１２００    第１のコネクタ
１２１０    第１コンタクト
１２１１    第１接触部
１２１２    第１固定部
１２１３    第１連結部
１２１４，１２１５    第１接点
１２１７    オフセット部
１２３０    ハウジング
１２３１    長壁部
１２３３    ガイド部
１３００    第２のコネクタ
１３２０    相手側第２コンタクト
【図１】
0006452531.tif 000002
【図２】
0006452531.tif 000003
【図３】
0006452531.tif 000004
【図４】
0006452531.tif 000005
【図５】
0006452531.tif 000006
【図６】
0006452531.tif 000007
【図７】
0006452531.tif 000008
【図８】
0006452531.tif 000009
【図９】
0006452531.tif 000010
【図１０】
0006452531.tif 000011
【図１１】
0006452531.tif 000012
【図１２】
0006452531.tif 000013
【図１３】
0006452531.tif 000014
【図１４】
0006452531.tif 000015
【図１５】
0006452531.tif 000016
【図１６】
0006452531.tif 000017
【図１７】
0006452531.tif 000018
【図１８】
0006452531.tif 000019
【図１９】
0006452531.tif 000020
【図２０】
0006452531.tif 000021
【図２１】
0006452531.tif 000022
【図２２】
0006452531.tif 000023
【図２３】
0006452531.tif 000024
【図２４】
0006452531.tif 000025
【図２５】
0006452531.tif 000026
【図２６】
0006452531.tif 000027